(57)【要約】【課題】箱の壁面に切り込みを入れることなく、箱の内面に印刷された情報の宛先である対象を確認できるようにする。【解決手段】上面板１１４の空いた辺に第１張り出し片１５０が連接する。第１張り出し片１５０は、第１面（外面）側に個人に関する情報１５５が印刷され、箱の内側に折り返されて上面板１１４及び前面板１１６の開封部分１３２の第２面側と重畳されて貼り合わせられる。上フラップ１２０ａの空いた辺に第２張り出し片１４０が連接する。第２張り出し片１４０には、その個人を特定する情報１４２が印刷されている。第２張り出し片１４０は、組み立て後の包装箱の外側に張り出すこととなる。包装箱が閉じられた後は、上面板１１４に印刷した情報１５５はその箱の内側となり見ることができないが、対応する情報１４２がその箱の外に露出する第２張り出し片１４０に印刷されているので、これにより確認が可能となる。【選択図】図３
2012140175.tif 000002
【特許請求の範囲】
【請求項１】
一枚物の展開図のシートから組み立てられた閉じた箱体を含み、
前記展開図のシートの両面のうち、前記箱体の外面を構成する側の面を第１面とし、前記箱体の内面を構成する側の面を第２面とした場合に、
前記展開図のシートは、
前記箱体の各壁面となる互いに連接した複数の壁面部であって、それら壁面部のうちの少なくとも第１の壁面部には折り目線と切取線とにより囲まれた開封部分が設けられており、前記切取線を切断することで前記開封部分を当該第１の壁面部の残りの部分から切り離すことにより前記開封部分を前記折り目線に沿って折り返せるように構成されていることを特徴とする複数の壁面部と、
前記第１の壁面部の外周辺、又は前記第１の壁面部に前記展開図上で連接した第２の壁面部の外周辺のうち、前記展開図上で他の壁面部に連接しない外周辺に連接して設けられた第１の張り出し片であって、前記箱体の内面側に折り返されると前記第１の壁面部の前記開封部分に重畳する重畳部分を有するとともに、当該重畳部分の前記第１面側の面には当該箱体の宛先対象に関する第１の情報が印刷されていることを特徴とする第１の張り出し片と、
前記複数の壁面部のうちの少なくとも１つの壁面部の外周辺のうち前記展開図上で他の壁面部に連接しない外周辺に対して連接した第２の張り出し片であって、当該第２の張り出し片の前記第１面側の面に、前記宛先対象に関する第２の情報が印刷されていることを特徴とする第２の張り出し片と、
を有し、
前記第１の張り出し片が前記箱体の内面側に折り返されて前記重畳部分の前記第２面側の面が前記開封部分の前記第２面側の面に貼り合わされ、かつ前記第２の張り出し片が前記箱体の外側に位置するように前記展開図のシートが組み立てられることにより形成された包装箱。
【請求項２】
前記各壁面部の前記第１面側の面に色又は柄が印刷されていることを特徴とする請求項１に記載の包装箱。
【請求項３】
前記複数の壁面部のうちの少なくとも１つの壁面部の外周辺のうち前記展開図上で他の壁面部に連接しない外周辺に連接して設けられ、当該壁面部を当該展開図上では連接していない他の壁面部と貼り合わせるための糊代片、を更に備え、
前記第２の張り出し片は、前記複数の壁面部のうちの少なくとも１つの壁面部の各外周辺のうち、他の壁面部及び糊代片のいずれとも連接せず且つ組み立てられた場合に前記箱体の外面側に露出する外周辺、に対して連接していることを特徴とする、請求項１又は２に記載の包装箱。
【請求項４】
前記第２の張り出し片が前記壁面部に連接する連接部には、前記張り出し片の当該壁面部からの切り離しを容易にするためのミシン目が形成されていることを特徴とする請求項１から３のいずれか１項に記載の包装箱。
【請求項５】
前記第２の張り出し片の前記第２の情報が印刷される側の面には、剥がして再貼付可能なシールが貼付されており、そのシールに対して前記第２の情報が印刷されている、ことを特徴とする請求項１から４のいずれか１項に記載の包装箱。
【発明の詳細な説明】
【技術分野】
【０００１】
本発明は、包装箱に関する。
【背景技術】
【０００２】
近年、内面に個人宛のメッセージなどといった個人に関する情報を印刷された箱が、例えば贈答用の包装箱として提案されている。見栄え等の観点から、このような包装箱の外面には、メッセージの宛先などの個人を特定する情報は印刷されないことが多い。この包装箱を受け取った人は、箱を開くことで自分宛のメッセージ等の情報を読み取ることができる。
【０００３】
このような包装箱を用いたビジネスでは、例えば発送作業などのために、包装箱の内面に印刷された情報が誰宛のものであるかを認識できるようにする必要がある。
【０００４】
特許文献１には、箱の壁面に開閉可能な窓を形成し、検査時にはその窓を開いて箱の内部にある商品の識別符号が読み取れるようにし、検査後にはその窓を閉じて目立たないようにする箱構造が開示されている。
【０００５】
特許文献２には、箱の壁面のうちの１つから延伸したフラップに宣伝表示の印刷が行われ、組み立てられた箱の外側にそのフラップが突出することで、宣伝表示が見える構造が開示されている。
【先行技術文献】
【特許文献】
【０００６】
【特許文献１】特開２００２−８００３４号公報
【特許文献２】特開平１０−２９７６２３号公報
【発明の概要】
【発明が解決しようとする課題】
【０００７】
本発明は、箱の壁面に切り込みを入れることなく、箱の内面に印刷された情報の宛先である対象を確認できる、新たな構造の包装箱を提供することを目的とする。
【課題を解決するための手段】
【０００８】
請求項１に係る発明は、一枚物の展開図のシートから組み立てられた閉じた箱体を含み、前記展開図のシートの両面のうち、前記箱体の外面を構成する側の面を第１面とし、前記箱体の内面を構成する側の面を第２面とした場合に、前記展開図のシートは、前記箱体の各壁面となる互いに連接した複数の壁面部であって、それら壁面部のうちの少なくとも第１の壁面部には折り目線と切取線とにより囲まれた開封部分が設けられており、前記切取線を切断することで前記開封部分を当該第１の壁面部の残りの部分から切り離すことにより前記開封部分を前記折り目線に沿って折り返せるように構成されていることを特徴とする複数の壁面部と、前記第１の壁面部の外周辺、又は前記第１の壁面部に前記展開図上で連接した第２の壁面部の外周辺のうち、前記展開図上で他の壁面部に連接しない外周辺に連接して設けられた第１の張り出し片であって、前記箱体の内面側に折り返されると前記第１の壁面部の前記開封部分に重畳する重畳部分を有するとともに、当該重畳部分の前記第１面側の面には当該箱体の宛先対象に関する第１の情報が印刷されていることを特徴とする第１の張り出し片と、前記複数の壁面部のうちの少なくとも１つの壁面部の外周辺のうち前記展開図上で他の壁面部に連接しない外周辺に対して連接した第２の張り出し片であって、当該第２の張り出し片の前記第１面側の面に、前記宛先対象に関する第２の情報が印刷されていることを特徴とする第２の張り出し片と、を有し、前記第１の張り出し片が前記箱体の内面側に折り返されて前記重畳部分の前記第２面側の面が前記開封部分の前記第２面側の面に貼り合わされ、かつ前記第２の張り出し片が前記箱体の外側に位置するように前記展開図のシートが組み立てられることにより形成された包装箱である。
【０００９】
請求項２に係る発明は、前記各壁面部の前記第１面側の面に色又は柄が印刷されていることを特徴とする請求項１に記載の包装箱である。
【００１０】
請求項３に係る発明は、前記複数の壁面部のうちの少なくとも１つの壁面部の外周辺のうち前記展開図上で他の壁面部に連接しない外周辺に連接して設けられ、当該壁面部を当該展開図上では連接していない他の壁面部と貼り合わせるための糊代片、を更に備え、前記第２の張り出し片は、前記複数の壁面部のうちの少なくとも１つの壁面部の各外周辺のうち、他の壁面部及び糊代片のいずれとも連接せず且つ組み立てられた場合に前記箱体の外面側に露出する外周辺、に対して連接していることを特徴とする、請求項１又は２に記載の包装箱である。
【００１１】
請求項４に係る発明は、前記第２の張り出し片が前記壁面部に連接する連接部には、前記張り出し片の当該壁面部からの切り離しを容易にするためのミシン目が形成されていることを特徴とする請求項１から３のいずれか１項に記載の包装箱である。
【００１２】
請求項５に係る発明は、前記第２の張り出し片の前記第２の情報が印刷される側の面には、剥がして再貼付可能なシールが貼付されており、そのシールに対して前記第２の情報が印刷されている、ことを特徴とする請求項１から４のいずれか１項に記載の包装箱である。
【発明の効果】
【００１３】
請求項１に係る発明によれば、包装箱の壁面に切り込みを入れることなく、第２張り出し片により包装箱の内面に印刷された情報の宛先である対象を確認できる。
【００１４】
請求項２に係る発明によれば、印刷すべき包装箱の外表面の色又は柄、第１の情報、及び第２の情報を展開図のシートの第１面のみに集中させることができる。
【００１５】
請求項３に係る発明によれば、展開図のシートを組み立てれば、第２張り出し片が自然と閉じた包装箱の外側に露出するようにすることができる。
【００１６】
請求項４に係る発明によれば、第２張り出し片が不要となった時に容易に包装箱の箱体から切り離すことができる。
【００１７】
請求項５に係る発明によれば、第２張り出し片に印刷した第２の情報を、シールとして他の物（例えば包装箱を収容した外箱）に貼り付けて再利用することができる。
【図面の簡単な説明】
【００１８】
【図１】内面に個人に関する情報が印刷された従来の包装箱の展開図の一例を示す図である。
【図２】図１の展開図を組み立てた包装箱において、切り込みを開いて内面の個人に関する情報が外から見える状態としたときの外観を示す図である。
【図３】実施形態の包装箱の元になる展開図の一例を示す図である。
【図４】図３のシートから切り出した展開図を組み立てて形成した包装箱の外観を示す図である。
【図５】図３の例より張り出し片を小さくした変形例の展開図が印刷されたシートを示す図である。
【図６】実施形態の包装箱の作成からそれを用いて包装した品物の発送までのシステム・工程の例を示す図である。
【発明を実施するための形態】
【００１９】
図１に、内面に個人に関する情報が印刷された従来の包装箱の展開図の一例を示す。この包装箱は、矩形の６つの壁面からなる閉じた箱である。図１は、包装箱の内面側を見た展開図である。
【００２０】
図１に示すように、この包装箱は、底面板１２、上面板１４、前面板１６、後面板１８、左側面を構成する上フラップ２０ａ及び下フラップ２０ｂ、右側面を構成する上フラップ２２ａ及び下フラップ２２ｂから構成されている。底面板１２の３つの外周辺は、それぞれ後面板１８、下フラップ２０ｂ及び２２ｂと連接しており、残りの１つの外周辺には、前面板１６と貼り合わせるための糊代片２４が連接されている。また、上面板１４の４つの外周辺は、それぞれ前面板１６、後面板１８、上フラップ２０ａ及び２２ａに連接している。また、前面板１６の左右の辺には、糊代片２６ａ及び２６ｂがそれぞれ連接しており、後面板１８の左右の辺には糊代片２８ａ及び２８ｂがそれぞれ連接している。
【００２１】
図１の展開図は、一枚のシートに印刷される。この展開図が外周の線に沿って切り出されることにより、図１に示した展開図シートが形成される。
【００２２】
図１の展開図シートの各面板１２〜１８及び各フラップ２０ａ、２０ｂ、２２ａ、２２ｂを、他の面板又はフラップとの境界の折り目に沿って直角に折り、糊代片２４を前面板１６と貼り合わせ、糊代片２６ａ及び２８ａを下フラップ２０ｂ及び上フラップ２０ａに貼り合わせ、糊代片２６ｂ及び２８ｂを下フラップ２２ｂ及び上フラップ２２ａに貼り合わせることで、閉じた六面体の包装箱が形成される。
【００２３】
図１に示すように、上面板１４及び前面板１６には、切り離しのための切取線（切れ目）となる、コの字形状のミシン目３０が形成されている。ミシン目３０は、線に沿って断続的にシートに穴を空けることにより形成される。また、上面板１４には折り目線３４が設定されている。上面板１４と前面板１６を合わせた領域のうち、切取線３０と折り目線３４とに囲まれた部分を、「開封部分」３２と呼ぶことにする。図示例では、開封部分３２は長方形の領域であり、その長方形のうち図中での上辺が折り目線３４で、残りの３辺がミシン目３０で、それぞれ構成されている。図１の例では、開封部分３２のうちの上面板１４内の領域に、個人に関する情報３３が印刷されている。この例では、個人に関する情報３３は、この包装箱により包装した品物の宛先である当該個人に宛てたメッセージであるが、これは一例に過ぎない。例えば、氏名、住所、その個人宛に特別に作成されたウェブページへのリンクを示すバーコード等、宛先の個人に関連するメッセージ以外の情報であってもよい。この展開図は、この個人に関する情報３３が包装箱の内面になるように組み立てられる。
【００２４】
図１の展開図を閉じた箱へと組み立てた後で、図２に示すように、ミシン目３０に沿って前面板１６及び上面板１４を切り開き、開封部分３２を折り目線３４に沿って当該包装箱１０の外側に折り返すと、開封部分３２の内面に印刷された個人に関連する情報３３が外から読めるようになる。
【００２５】
このような包装箱１０を作成（すなわちその箱に品物を詰めて箱を閉じること）したり、配達したりする企業等の組織は、その包装箱１０を内面の情報３３に対応する個人に対して正しく発送しなければならない。しかし、包装箱１０を組み立てて閉じた後は、宛先の個人がミシン目を切り開くまで、内面の情報３３は読み取れないので、その情報３３を参考にすることはできない。包装箱１０の外面に宛先の個人を特定する情報を印刷すれば、完成した包装箱１０の発送その他のための取扱の役に立つが、そのような外面の印刷は、包装箱１０の外観を損ねるのみならず、展開図シートの製造にあたり、内面側の情報３３と外面側の個人を特定する情報のために展開図シートの両面を印刷する必要がある。両面の印刷のためには、両面印刷用の装置を用いるか、又は片面ずつ印刷するかが必要となり、設備投資又は手間がかかってしまう。
【００２６】
そこで、本実施形態では、包装箱の内面に表示する個人に関連する情報と、発送作業等の取扱において用いる個人を特定する情報とを、片面印刷で印刷することができる箱構造を採用する。
【００２７】
本実施形態の包装箱の展開図シートの一例を図３に示す。図３の展開図シートを構成する要素のうち、図１の展開図シートを構成する要素の中に対応要素を持つ要素については、図１での対応要素の参照番号に１００を加えた参照番号を付した。
【００２８】
以下では、包装箱の展開図シートの両面のうちの一方の面を第１面、他方の面を第２面と呼ぶ。図３は、展開図シートを第１面の側から見た状態を示している。
【００２９】
展開図シートは例えば厚紙などで形成される。展開図シートの第１面は、包装箱の外表面となる側の面であり、インクジェット方式や電子写真方式などといった印刷方式のうちの１以上の方式で印刷可能な面として構成されている。なお、展開図シートの第２面は、印刷可能でなくてもよい。
【００３０】
図３に示すように、この展開図シートは、底面板１１２、上面板１１４、前面板１１６、後面板１１８、左側面を構成する上フラップ１２０ａ及び下フラップ１２０ｂ、右側面を構成する上フラップ１２２ａ及び下フラップ１２２ｂを備える。底面板１１２の４つの外周辺は、それぞれ、前面板１１６、後面板１１８、下フラップ１２０ｂ及び１２２ｂと連接している。また、上面板１１４の４つの外周辺は、それぞれ前面板１１６、上フラップ１２０ａ及び１２２ａ、及び第１張り出し片１５０に連接している。また、前面板１１６の左右の辺には、糊代片１２６ａ及び１２６ｂがそれぞれ連接しており、後面板１１８の左右の辺には糊代片１２８ａ、１２８ｂ及び１２８ｃがそれぞれ連接している。そして、この例では、上フラップ１２０ａは、その４つの外周辺のうち上面板１１４との境界の辺の向かい側の外周辺１４４を境にして、第２張り出し片１４０と連接している。
【００３１】
図３に示すように、上面板１１４及び前面板１１６には、切り離しのための切取線（切れ目）となる、コの字形状のミシン目１３０が形成されている。ミシン目１３０は、例えば、線に沿って断続的にシートに穴を空けることにより形成される。また、上面板１１４には折り目線１３４が設定されている。上面板１１４と前面板１１６を合わせた領域のうち、切取線１３０と折り目線１３４とに囲まれた部分を、開封部分１３２と呼ぶことにする。図示例では、開封部分１３２は長方形の領域であり、その長方形のうち図中での上辺が折り目線１３４で、残りの３辺がミシン目１３０で、それぞれ構成されている。
【００３２】
第１張り出し片１５０は、第１部分１５２、第２部分１５４及び第３部分１５６から構成される。第１部分１５２は、境界辺１５８を境にして上面板１１４と連接している部分であり、図中におけるその横幅は上面板１１４の横幅に等しく、その高さＤ3は上面板１１４の折り目線３４と境界辺１５８との間隔Ｄ4に等しい。境界辺１５８は、第１張り出し片１５０を上面板１１４に対して折り返すときの折り目として機能する。第２部分１５４は、境界辺１５９を境にして第１部分１５２に連接しており、その横幅Ｗ2は開封部分１３２の横幅Ｗ1に等しく、その高さＤ2は開封部分１３２のうち上面板１１４に属する部分の高さＤ5に等しい。第３部分１５６は、境界辺１５７を境にして第２部分１５４に連接しており、その横幅Ｗ2は開封部分１３２の横幅Ｗ1に等しく、その高さＤ1は開封部分１３２のうち前面板１１６に属する部分の高さＤ6に等しい。
【００３３】
第１張り出し片１５０の第２部分１５４の第１面（すなわち、図３に表されている面）側の面には、個人に関する情報１５５が印刷されている。この印刷された情報１５５は、図１の例における個人に関する情報３３と同様のものでよい。
【００３４】
第１張り出し片１５０と展開図シートの他の部分とを境界辺１５８に沿って山折り（すなわち、図１の紙面の奥の方向に折り返すこと）にすることで、第１張り出し片１５０の第２面側を上面板１１４及び前面板１１６の第２面側に密着させて貼り合わせることが可能となる。貼り合わせた状態では、第１張り出し片１５０の第１部分１５２は上面板１１４の折り目線１３４と境界片１５８との間の部分にぴったり重なり、第２部分１５４及び第３部分１５６は開封部分１３２のうちの上面板１１４内の部分及び前面板１１６内の部分にそれぞれぴったり重なる。この状態では、第１張り出し片１５０に印刷された個人に関する情報１５５は、開封部分１３２の第２面側（図３の紙面の裏面側）に位置する。したがって、このように第１張り出し片１５０を折り返して上面板１１４及び前面板１１６に貼り合わせた状態で、図１の展開図シートの場合と同様に箱体（包装箱）を組み立てると、個人に関する情報１５５は箱体の内面側に位置することになる。この例では、貼り合わせた状態では、第１張り出し片１５０の第２部分１５４及び第３部分１５６は、上面板１１４及び前面板１１６の開封部分１３２からはみ出さないので、組み立てた後にミシン目１３０を切断する際の妨げにならない。
【００３５】
第２張り出し片１４０は、組み立てられた際に下フラップ１２０ｂの上（すなわち包装箱の外側）に被さる上フラップ１２０ａから延びている。したがって、第２張り出し片１４０は包装箱を組み立てた後、組み立て後の包装箱の外側に張り出すこととなる。
【００３６】
第２張り出し片１４０の第１面側（図３の紙面の表面側）には、第１張り出し片１５０に印刷された情報１５５の宛先である個人を特定する情報１４２が印刷される。
【００３７】
図３の例では、第２張り出し片１４０には、情報１４２として個人を特定する住所及び氏名を印刷したが、印刷する情報１４２はこれに限らない。例えば、そのような情報の代わりに、あるいはそれに加えて、当該個人に関する他の種類の情報（例えば識別番号、あるいはその識別番号を表すバーコード等の画像コード）を印刷してもよい。また、第２張り出し片１４０には、そのような個人に関連する情報１４２に加えて、印刷後の（例えば発送作業までの）工程における展開図シート及び包装箱についての取扱／後処理等に関する指示の情報や、それら後工程での工程チェックのためのチェックリストなどといった、後工程の作業に関する情報を印刷してもよい。また、当該包装箱自体の識別情報を示す画像コードを印刷し、印刷後の各工程の完了チェックの際に画像コードを読取装置で読み取ってシステムに登録し、工程管理を行えるようにしてもよい。
【００３８】
図３の展開図は、一枚のシートに印刷される。この展開図が外周の線に沿って切り出されることにより、図３に示した展開図シートが形成される。
【００３９】
図３の展開図シートの組立作業では、まず、第１張り出し片１５０を折り返してその第２面を上面板１１４及び前面板１１６の第２面に貼り合わせる。次に、その後各面板１１２〜１１８及び各フラップ１２０ａ、１２０ｂ、１２２ａ、１２２ｂを、他の面板又はフラップとの境界の折り目に沿って直角に山折りし、糊代片１２８ｃを上面板１１４（と折り返された第１張り出し片１５０とが貼り合わせられたもの）に貼り合わせ、上フラップ１２０ａ及び１２２ａを下フラップ１２０ｂ及び１２２ｂに被せて貼り合わせ、糊代片１２６ａ及び１２８ａを下フラップ１２０ｂ及び上フラップ１２０ａに貼り合わせ、糊代片１２６ｂ及び１２８ｂを下フラップ１２２ｂ及び上フラップ１２２ａに貼り合わせることで、閉じた六面体の包装箱が形成される。
【００４０】
図３の展開図シートを組み立てると、図４に例示するような包装箱１００が得られる。この包装箱１００は、ミシン目１３０が切り開かれていない状態であり、上面板１１４の内面側に張り合わされた第１張り出し片１５０に印刷された個人に関連する情報１５５は、底面板１１２、上面板１１４、前面板１１６、後面板１１８及び上下フラップ１２０ａ、１２０ｂ、１２２ａ、１２２ｂからなる左右両側面により構成される閉じた箱体の内側に位置し、見えない状態である。しかし、この実施形態の包装箱１００では、上フラップ１２０ａから延長した第２張り出し片１４０が閉じた箱体の外に出ており、その張り出し片１４０には、内部の情報１５５の宛先対象である個人と同じ個人に関連する情報１４２が印刷されている。したがって、包装箱１００の組み立て後、例えば発送までの間にこの包装箱１００を取り扱う作業員は、この第２張り出し片１４０の情報１４２を参照することで、その包装箱１００の対象である個人を確認し、例えばその個人に対応する作業を実行する。
【００４１】
第２張り出し片１４０は、発送作業までの各工程での確認のためのものであり、包装箱１００の宛先の人にとっては不要であり、かつ包装箱１００の目的からすればむしろないほうがよい。このために、発送の際の最終確認の後、第２張り出し片１４０を切り取って、第２張り出し片１４０のない包装箱１００を発送するようにしてもよい。図３及び図４に例示した包装箱１００において、上フラップ１２０ａと第２張り出し片１４０との境界の辺１４４には、第２張り出し片１４０の切り離し作業を補助するために、ミシン目等の切取線を形成しておいてもよい。
【００４２】
また、以上の例では、宛先の個人を特定する情報１４２は第２張り出し片１４０の第１面に直接印刷されるが、この代わりに、この第２張り出し片１４０の印刷面側に、タックシールのように、剥がして再貼付可能なシールを貼り付けておき、このシールに情報１４２を印刷するようにしてもよい。この場合、例えば包装箱１００を発送する際に、包装箱１００を例えば配送用の外箱や包装紙でくるみ、その保護箱や包装紙の表面にそのシールを貼り付け、配送用の宛先情報として利用することも考えられる。
【００４３】
組み立てられた包装箱１００のミシン目１３０を指などで切断し、切り離された開封部分１３２を折り目線１３４に沿って谷折りに折り返すことで、図２と同様の開封状態となり、開封部分１２２の裏面（第２面）の情報１５５が読み取れるようになる。
【００４４】
図３及び図４の例では、第２張り出し片１４０の縦方向の高さは、上フラップ１２０ａの高さと同じであったが、第２張り出し片１４０の高さはこのような例に限定されるものではない。
【００４５】
また、図３の例では、第２張り出し片１４０は、上フラップ１２０ａの図中左側の辺１４４に連接するように設けたが、これは一例に過ぎない。第２張り出し片１４０は、展開図シートを箱体へと組み立てた後、その箱体から外側に露出する部分に設ければよいので、例えば上フラップ１２０ａの図中の上限の辺に第２張り出し片１４０が連接するような設計を採用してもよい。
【００４６】
また、第２張り出し片１４０は、上フラップ１２２ａの図中右側、上側、下側の辺に連接するように設けてもよい。また、下フラップ１２０ｂ又は下フラップ１２２ｂの図中上側又は下側の辺に連接するように設けてもよい。なお、下フラップ１２０ｂの図中左側の辺、及び下フラップ１２２ｂの図中右側の辺は、組み立て後はそれぞれ上フラップ１２０ａ及び１２２ａにより覆われてしまうので、それらの辺は第２張り出し片１４０を設けるには適さない。
【００４７】
なお、図３の例では、包装箱の壁面を構成する底面板１１２、上面板１１４、前面板１１６、後面板１１８、上フラップ１２０ａ及び下フラップ１２０ｂ、上フラップ１２２ａ及び下フラップ１２２ｂの辺のうち、他の板、フラップ及び糊代片のいずれにも連接していないのは、以上に第２張り出し片１４０を設けることが可能として例示した上下フラップの各辺のみである。しかし、箱体の展開図における壁面と壁面、及び壁面と糊代片との連接関係が図３に例示するものと異なる場合も考えられる。このような場合には、箱体の壁面を構成する面板の空いている辺、すなわち他の壁面又は糊代片に連接しない辺、に第２張り出し片１４０を設けることができる場合もある。
【００４８】
以上の例では、第１張り出し片１５０の第２部分１５４及び第３部分１５６は、それぞれ開封部分１３２の上面板１１４内の部分及び前面板１１６内の部分と同寸法であったが、これは一例に過ぎない。第１張り出し片１５０の第２部分１５４及び第３部分１５６は、張り合わされた時にそれぞれ開封部分１３２の上面板１１４内の部分及び前面板１１６内の部分の中に収まる寸法であればよい。このような寸法であれば、組み立て後にミシン目１３０を切り開く際に、第１張り出し片１５０が邪魔にならない。
【００４９】
また、図３の例のように第１張り出し片１５０の第２部分１５４に情報１５５を印刷する構成の場合、第３部分１５６はなくてもよい。
【００５０】
以上の例では、開封部分１３２の折り返し辺１３４が存在する上面板１１４の４つの外周辺のうち、折り返し辺１３４を挟んで開封部分１３２に対して逆側にある外周辺に第１張り出し片１５０を設けたが、これは一例に過ぎない。例えば、上面板１１４の左右いずれかの外周辺に他の面板、フラップ及び糊代片のいずれも連接していない場合、その外周辺に対して同様に張り出し片１５０を設けてもよい。
【００５１】
また、第１張り出し片は、開封部分１３２が設けられる上面板１１４ではなく、その上面板１１４に連接する他の面板又はフラップに設けてもよい。この一例を図５に示す。
【００５２】
図５の例では、上面板１１４に連接する上フラップ１２２ａの、上面板１１４から遠い側の外周辺１６９に、第１張り出し片１６０が連接している。この例では、第１張り出し片１６０の図中縦方向の高さは、上面板１１４の高さと等しい。この例の第１張り出し片１６０は、辺１６９にて山折りで折り返されたときに上面板１１４の第２面（裏面）側に貼り合わせられる開封部分１６１、上フラップ１２２ａの第２面側に貼り合わせられるフラップ部分１６８、及び開封部分１６１とフラップ部分１６８とを連結するための連結部分１６６とを含む。
【００５３】
図５の例では、開封部分１６１の図中横幅Ｗ6は、開封部分１３２の横幅Ｗ1と等しく、フラップ部分１６８の横幅Ｗ4は、上フラップ１２２ａの横幅Ｗ3と等しい。
【００５４】
また、連結部分１６６の横幅Ｗ5は、上面板１１４の開封部分１３２の右端から上面板１１４の右側の外周辺までの幅Ｗ2に等しい。
【００５５】
開封部分１６１は、図中上側の第１部分１６２と下側の第２部分１６４とから構成される。第１張り出し片１６０が辺１６９で折り返されると、第１部分１６２は、上面板１１４の上側の外周辺と折り目線１３４との間の部分に、第２部分１６４は開封部分１３２の上面板１１４内の部分に、それぞれ重なることになる。この第２部分１６４の第１面（表面。すなわち図５の紙面の表面側）には、図３の例における情報１５５と同様の個人に関する情報１６５が印刷される。第１部分１６２と第２部分１６４との境界線１７０は、折り返されたときに、開封部分１３２の折り目線１３４に重なる位置にある。連接部分１６６の上側の辺は、上面板１１４及び第１部分１６２の上側の辺と同じ高さにあり、連接部分１６６の下側の辺は、開封部分１３２の折り目線１３４及び開封部分１６１の境界線１７０と同じ高さにある。
【００５６】
図５に示す展開図シートを組み立てる場合、まず境界辺１６９で第１張り出し片１６０を折り返して、開封部分１６１及び連結部分１６６の第２面を上面板１１４の第２面に、フラップ部分１６８の第２面を上フラップ１２２ａの第２面に、それぞれ貼り合わせる。その後、展開図シートを箱体の形に組み立てることで、図４に例示したのと同様の包装箱１００が完成する。
【００５７】
図５の例では、第１張り出し片１６０の第２部分１６４は、開封部分１３２のうちの上面板１１４内の部分にぴったり重なるとともに、第２部分１６４の左右両辺は展開図シート状の他の部分と連接していない。したがって、組み立て後にミシン目１３０を切り開く際に、第２部分１６４はその切り開き作業の妨げにならない。
【００５８】
以上に例示した図３及び図５の本実施形態の展開図シートでは、第１張り出し片１５０及び１６０の個人に関する情報１５５及び１６５、第２張り出し片１４０の個人を特定するための情報１４２は、共に、組み立て後の包装箱１００の外表面となる展開図シートの第１面（表面）に印刷される。包装箱１００の外表面には、一般に色や柄が印刷されるので、展開図シートの第１面は印刷可能な表面性状を持った面となっている。図３及び図５の展開図シート形状を用いた場合、第１張り出し片１５０及び１６０、並びに第２張り出し片１４０のうちのそのような第１面側の面に対し、各種の情報が印刷されることになる。展開図シートの第２面は、何も印刷しなくてよいので、印刷可能な表面性状を持たなくてもよい。
【００５９】
これに対し、図１に例示した従来の包装箱の展開図シートの場合、個人に関する情報３３は包装箱１０の内面側の面に印刷される。したがって、従来の展開図シートを構成する用紙は、両面とも印刷可能なものである必要がある。
【００６０】
図３及び図５に例示した本実施形態の展開図シートは、例えば、バリアブル印刷技術を用いて片面印刷で一度に印刷してもよい。この場合、例えば、展開図シートの各面板や糊代片の境界線（折り目線として機能する）及び外表面の色や柄などを定型画像とし、これに対し、宛先の個人ごとの個人に関する情報１５５又は１６５及び個人を特定するための情報１４２をバリアブル（可変）画像として合成し、合成結果の画像を片面印刷の印刷装置で厚紙等の用紙に印刷すればよい。
【００６１】
図６を参照して、実施形態の包装箱１００の作成からそれを用いて包装した品物の発送までのシステム・工程の例を説明する。
【００６２】
このシステムにおいて、データベース６０には、顧客からの注文に関連する情報が登録されている。個々の注文の情報には、顧客の識別情報、注文の品物を特定する情報、宛先の氏名及び住所、包装箱の内面に印刷するメッセージの情報などが含まれる。印刷装置６２は、包装箱の材料となる厚紙等のシートの第１面（包装箱の外表面となる面）に対して、図３又は図５に例示するような展開図の輪郭線及び折り目線を印刷する。また、このとき同時に、又はその前に、又はその後で、展開図シートの第１面のうち、包装箱１００の外表面を構成する各面（展開図シートの第１面のうちすなわち第１張り出し片１５０及び第２張り出し片１４０を除いた領域）に色又は柄を印刷してもよい。また、この輪郭線や折り目線の印刷時、あるいは外表面の色又は柄の印刷時、あるいはその後で、印刷装置６２が、データベース６０から注文についての宛先及びメッセージの情報を読み出し、宛先の情報は第２張り出し片１４０の位置に、メッセージは第１張り出し片１５０又は１６０の位置に、それぞれ印刷する。この印刷は、いわゆるバリアブル印刷である。印刷結果検査装置６４は、印刷されたシートに印刷誤りがないか検査する。例えば、印刷結果検査装置６４は、第１張り出し片１５０又は１６０に印刷された情報１５５又は１６５と、第２張り出し片４０に印刷された情報１４２とをそれぞれ読み取って文字認識し、認識した文字列情報をデータベース６０に登録された情報と突き合わせることで、情報１５５及び１４２の印刷結果にそれぞれ誤りがないか、及び、情報１５５又は１６５と１４２とが同じ注文に対応するものなのかを確認する。この確認で誤りが見つかれば、当該シートはその後の工程には流さない。なお、印刷結果の検査は、目視で行ってもよい。装置による検査でも目視検査でも、検査対象の情報１５５又は１６５及び１４２はシートの同じ面に印刷されているので、シートの一方の面を検査するだけでよい。
【００６３】
印刷結果検査装置６４で印刷結果が正しいと判定されたシートは、後処理システム６６に渡される。後処理システム６６は、例えば裁断機、ミシン目カッター、製箱機などを含んでいる。後処理システム６６は、展開図の輪郭線に沿ってシートを裁断し、ミシン目１３０、及び、第２張り出し片１４０の切り取りのための辺１４４に沿ったミシン目を刻み、裁断された展開図を折り込み、糊付けして箱の形に組み立てる。このように包装箱１００を自動組立する場合には、品物を入れるために少なくとも１つの口（例えば左又は右の側面）は糊付けせずに開けておく。このようにして作成された包装箱１００の半製品は、包装工程６８に回される。なお、包装箱の組立は、手作業で行ってもよい。
【００６４】
包装工程６８では、その包装箱１００に対して注文の品物を入れ、包装箱１００を完全に閉じる。このとき、包装箱１００の第２張り出し片１４０に印刷された宛先の個人に関する情報１４２を参照したり、バーコードリーダなどで読み取ったりすることで、その包装箱１００と、それに入れる品物とが合致しているかどうかを確認する。品物が入れられて閉じられた包装箱１００は、発送工程７０に送られる。
【００６５】
発送工程７０では、その包装箱１００から第２張り出し片１４０が切り取られ、切り取り後の包装箱１００が配送用の外箱又は包装紙によりくるまれ、その外箱又は包装紙に対して宛先のシールが貼付される。このとき、切り取った第２張り出し片１４０と宛先のシールとを突き合わせることで、正しい宛先シールかどうかを確認してもよい。また、前述のように第２張り出し片１４０自体にシールとして宛先の情報１４２を印刷しておき、そのシールを剥がして外箱等に貼付してもよい。
【００６６】
以上の例では、包装箱１００の宛先が個人である場合を典型例として説明したが、包装箱１００の宛先は会社等の組織や団体などであってももちろんよい。
【符号の説明】
【００６７】
１０，１００  包装箱、１２，１１２  底面板、１４，１１４  上面板、１６，１１６  前面板、１８，１１８  後面板、２０ａ，２２ａ，１２０ａ，１２２ａ  上フラップ、２０ｂ，２２ｂ，１２０ｂ，１２２ｂ  下フラップ、１２６ａ，１２６ｂ，１２８ａ，１２８ｂ、１２８ｃ  糊代片、１３０  ミシン目、１３２  開封部分、１４０  第２張り出し片、１４２  個人を特定する情報、１５０，１６０  第１張り出し片、１５５，１６５  個人に関連する情報。
【図１】
2012140175.tif 000003
【図２】
2012140175.tif 000004
【図３】
2012140175.tif 000005
【図４】
2012140175.tif 000006
【図５】
2012140175.tif 000007
【図６】
2012140175.tif 000008